(57)【要約】      （修正有）【課題】  導光板とランプユニットの接触による衝撃でランプユニットが破損されることを防止できるよう、導光板と、前記導光板の少なくとも一側辺に沿って配置されたランプユニットを持つ液晶表示装置を提供する。【解決手段】  本発明は、導光板２と、前記導光板の少なくとも一側辺について配置されたランプユニット３４を持つ液晶表示装置に関する。前記ランプユニットの両端部を支持するランプ支持部３５１と、前記導光板が前記ランプユニットに対して接触しないように、前記導光板を支持する導光板支持部３５２を有するランプホルダーユニット３５を含むことを特徴とする。これによると、ランプホルダーユニットで導光板がランプユニットに接触することを防ぎ、導光板の接触による衝撃でランプユニットが破損されることを防止できる。【選択図】図１
2005326853.tif 000002
【特許請求の範囲】
【請求項１】
導光板と、前記導光板の少なくとも一側辺に沿って配置されたランプユニットを有する液晶表示装置において、
前記ランプユニットの両端部を支持するランプ支持部と、前記導光板が前記ランプユニットに対して非接触となるように、前記導光板を支持する導光板支持部を有するランプホルダーユニットを含むことを特徴とする液晶表示装置。
【請求項２】
前記導光板支持部は、前記ランプ支持部と互いに結合されることを特徴する請求項１に記載の液晶表示装置。
【請求項３】
前記導光板支持部は、断面が略“匚”字形状であり、前記ランプ支持部に挟まれることを特徴とする請求項２に記載の液晶表示装置。
【請求項４】
前記導光板支持部は、前記導光板と接する前面部と、前記前面部の両断部で互いに対向されるように折曲延長された側壁部を有することを特徴とする請求項３に記載の液晶表示装置。
【請求項５】
前記ランプ支持部は、比較的軟質の材質で作られて、前記導光板支持部は、比較的硬質の材質で作られることを特徴とする請求項１に記載の液晶表示装置。
【請求項６】
前記導光板支持部は、金属性の材質で作られたことを特徴とする請求項１に記載の液晶表示装置。
【発明の詳細な説明】
【技術分野】
【０００１】
本発明は、液晶表示装置に関し、より詳細に説明すると、ランプホルダーユニットを利用して導光板とランプユニットの接触を効果的に防止する液晶表示装置に関する。
【背景技術】
【０００２】
一般的に液晶表示装置は、マトリックス（Ｍａｔｒｉｘ）形態で配列された液晶セルの光透過率を画像信号情報により調節することによって、望む画像を表示できるようにする装置である。
このような液晶表示装置は、自体発光ではないため、バックライトアセンブリーから照射される光を利用して、液晶パネルに画像を形成する。
【０００３】
バックライトアセンブリーは、一般的に光源であるランプが液晶パネルの背面に配置されて光が液晶パネルの背面に直接透過する直下方式と、液晶パネルの背面に導光板が配置されてランプが導光板の少なくとも一つの側辺に沿って配置されて、光が導光板を経て、液晶パネルに透過するエッジ（ｅｄｇｅ）方式に区分される。
エッジ方式の場合、バックライトアセンブリーは，光源であるランプユニット、ランプユニットの光を平面光に変えて、液晶パネルに伝達する導光板を含む。
【０００４】
しかし、ランプユニットが導光板の側辺に沿って配置されるため、ランプユニットと導光板の接触による衝撃によってランプユニットが破損され、不良が発生する問題がある。
【発明の開示】
【発明が解決しようとする課題】
【０００５】
従って、本発明の目的は、導光板とランプユニットの接触による衝撃でランプユニットが破損することを防止することである。
【課題を解決するための手段】
【０００６】
前記目的は、本願第１発明により、導光板と、前記導光板の少なくとも一側辺に沿って配置されたランプユニットを有する液晶表示装置において、前記ランプユニットの両端部を支持するランプ支持部と、前記導光板が前記ランプユニットに対して非接触となるように前記導光板を支持する導光板支持部を有するランプホルダーユニットを含むことを特徴とする液晶表示装置により達成できる。
【０００７】
ランプユニットを支持するランプホルダーユニットにより、導光板がランプユニットと接触することを防ぎ、ランプユニットが導光板との接触による衝撃で破損されることを防止できるようになる。すなわち、別途のストッパーを使用せず、ランプホルダーユニットを利用して導光板がランプユニットと接触することを防止することによって、より簡単な構成で効果的にランプユニットを保護することができる。
【０００８】
前記導光板支持部は、前記ランプ支持部と互いに結合できる。
ここで、前記導光板支持部は、断面が概略“匚”字形状を持って、前記ランプ支持部に挟まれることが好ましい。導光板支持部が四角形の筐体形状を有することで、導光板３２びの接触による衝撃に耐えやすくなる。
ここで、前記導光板支持部は、前記導光板と接する前面部と、前記前面部の両断部で互いに対向されるように折曲延長された側壁部を有することが好ましい。
【０００９】
また、前記ランプ支持部は、比較的軟質の材質で作られて、前記導光板支持部は比較的硬質の材質で作られることが好ましい。
また、前記導光板支持部は、金属性の材質で作られることが好ましい。
【発明の効果】
【００１０】
この構成により、導光板とランプユニットの接触による衝撃でランプユニットが破損されることを防止できる。
【発明を実施するための最良の形態】
【００１１】
以下で、本発明の第１実施例による液晶表示装置について添付図を参照して説明すると、次のようである。
説明の前に、色々な実施例において、同じ構成を持つ構成要素に対しては同じ符号を使用して、代表的に第１実施例で説明して、その他の実施例では第１実施例と異なる構成のみを説明する。
【００１２】
また、本明細書で液晶表示装置は、エッジ方式を実施例として説明する。
本発明の第１実施例による液晶表示装置は、図１に図示されたように、画像を形成する液晶パネル１０と、液晶パネル１０を駆動するドライバー集積回路（図示せず）と、液晶パネル１０の軟部を支持するモールドフレーム２０と、液晶パネル１０の背面に光を照射するバックライトアセンブリー３０と、バックライトアセンブリー３０を受け入れ、モールドフレーム２０を支持する背面シャシ４０と、背面シャシ４０と互いに結合され、液晶パネル１０の前面をカバーする前面シャシ５０を含む。
【００１３】
液晶パネル１０は、薄膜ランジスター基板１１と、薄膜ランジスター基板１１に対向されるように付着したカラーフィルター基板１２と、薄膜ランジスター基板１１とカラーフィルター基板１２の間に注入された液晶（図示せず）を含む。このような液晶（図示せず）は、薄膜ランジスター基板１１とカラーフィルター基板１２の間に注入された後、封合される。
【００１４】
また、液晶パネル１０は、カラーフィルター基板１２の前面に付着する前面偏光板１３と、薄膜ランジスター基板１１の背面に付着する後面偏光板１４をさらに含む。
このような液晶パネル１０は、画素単位を成す液晶セルがマトリックス形態に配列されており、ドライバー集積回路（図示せず）から伝達される画像信号情報によりマトリックス形態に配列されている液晶セルの光透過率を調節することで画像を形成するようになる。
【００１５】
液晶パネル１０の軟部に沿って形成されたモールドフレーム２０は、略四角形の形状を持って、液晶パネル１０をバックライトアセンブリー３０に対して離隔させて支持する。
バックライトアセンブリー３０は、液晶パネル１０の背面に平行するように配置される導光板３２と、導光板３２の少なくとも一側辺に沿って配置されて光を供給するランプユニットト３４と、ランプユニットト３４及びランプユニットト３４隣接した導光板３２の側面を支持するランプホルダーユニット３５を含む。そして、ランプユニット３４を受け入れてランプユニット３４から照射されるすべての光が導光板３２に向かうようにするランプリフレクター３６と、導光板３２の前面に備わり、液晶パネル１０に向かう光を拡散及び集光する光学シート類３１と、導光板３２の背面に用意される反射シート３３をさらに含む。
【００１６】
導光板３２は、ランプユニット３４から光を受ける入射面と、入射面と直角を成して、液晶パネルに対して平行になる出射面と、ランプユニットから入射面に照射された光が出射面に進行されるようにパターンが形成された背面を有する。これによって、導光板３２は、導光板３２の一側辺に沿って、すなわち入射面に隣接して配置されたランプユニット３２から入射面に照射された光を平面光に変えて、出射面を通して、液晶パネル１０で均一に伝達するようになる。このような導光板３２の材質としては、強度が高く、簡単に変形されないかつ、こわれない透過率が良いＰＭＭＡ（Ｐｏｌｙｍｅｔｈｙｌ  ｍｅｔｈａｃｒｙｌａｔｅ）が使われる。
【００１７】
ランプユニット３４は、光を放出するランプ部３４１と、ランプ部３４１の端部に形成された電極部３４２を含む。この電極部３４２は、インバータ（図示せず）に連結されて電源の供給を受ける。
ランプホルダーユニット３５は、ランプユニット３４の両端部を支持するランプ支持部３５１と、導光板３２がランプユニット３４に対して接触されるようにランプユニット３４と隣接した導光板３２の側面を支持する導光板支持部３５２を有する。このような導光板支持部３５２は、図２に図示されたように、ランプ支持部３５１と一体で延長形成されて、導光板３２がランプユニット３４に接触されないような役割を果たすことになる。
【００１８】
光学シート類３１は、導光板３２から液晶パネル１０に照射される光の部分的な集中によって、液晶パネル１０にしみが発生しないように光を拡散させて光の均一性をより向上させる拡散シート３１１と、拡散シート３１１を通過した光が垂直に進行できるようにして、輝度を向上させるプリズムシート３１２を含む。また、埃とかキズに敏感な拡散シート３１１及びプリズムシート３１２を保護し、外部の衝撃や異物質の流入を防止する保護シート３１３をさらに含むことができる。
【００１９】
反射シート３３は、導光板３２を通して、液晶パネル１０の反対方向に透過される光を再び導光板３２に反射させることによって、光の損失を減らし、導光板３２から液晶パネル１０方向に透過する光の均一度の向上にも寄与する。
このような構成により、本発明の第１実施例による液晶表示装置は、ランプユニット３４を支持するランプホルダーユニット３５により、図２で示されたように、導光板３２がランプユニット３４と接触することを防ぎ、ランプユニット３４が導光板３２との接触による衝撃で破損されることを防止できるようになる。すなわち、別途のストッパーを使用せず、ランプホルダーユニット３５を利用して導光板３２がランプユニット３４と接触することを防止することによって、より簡単な構成で効果的にランプユニット３４を保護することができる。
【００２０】
本発明の第２実施例による液晶表示装置は、図５で示されたように、ランプホルダーユニット３５が、比較的軟質の材質で作られたランプ支持部３５１と、ランプ支持部３５１に結合されて比較的硬質の材質で作られた導光板支持部３５２を有する。
導光板支持部３５２は、図３および図４で示されたように、金属性の材質で作られた略“匚”字形状の薄板として、導光板３２と接する面を中心にランプ支持部３５１を囲むように結合される。
【００２１】
すなわち、導光板支持部３５２は、導光板３２と接する前面部、前面部の両断部で互いに対向されるように折曲延長された一組の側壁部から形成される。
導光板支持部３５２は、その形状が前記"匚"字形状に限定されることなく、導光板３２の接触による衝撃に耐えられる形態であればどういう形で形成されても良い。
本発明の第２実施例による液晶表示装置によると、ランプ支持部３５１は、組立性などを考慮して、比較的軟質の材質で作られることが有利であり、導光板支持部３５２は、導光板３２を安定的に支持してランプユニット３４との接触を防止するため、比較的硬質の材質で作られることが有利であるため、ランプ支持部３５１と導光板支持部３５２を各々適合な材質で作り、互いに結合してより効果的なランプホルダーユニット３５を形成することができる。
【００２２】
また、前記の実施例とは異なり、ランプ支持部３５１と導光板支持部３５２が一体で形成されて、導光板支持部３５２だけを硬化させて使用することもできる。
【図面の簡単な説明】
【００２３】
【図１】本発明の第１実施例による液晶表示装置の分解斜視図である。
【図２】図１の液晶表示装置に用いられたランプホルダーユニットがランプユニット導光板を各々支持する状態を部分的に示した図である。
【図３】本発明の第２実施例による液晶表示装置に用いられたバックライトアセンブリーの分解斜視図である。
【図４】図３のIV-IV線に沿った断面図である。
【符号の説明】
【００２４】
１０      液晶パネル
１１      薄膜ランジスター基板
１２      カラーフィルター基板
１３      前面偏光板
１４      後面偏光板
２０      モールドフレーム
３０      バックライトアセンブリー
３１      光学シート類
２      導光板
３３      反射シート
３４      ランプユニット
３５      ランプホルダーユニット
３６      ランプリフレクター
４０      背面シャシ
５０      全面シャシ
３１１    拡散シート
３１２    プリズムシート
４１    ランプ部
３４２    電極部
３５１    ランプ支持部
３５２    導光板支持部
【図１】
2005326853.tif 000003
【図２】
2005326853.tif 000004
【図３】
2005326853.tif 000005
【図４】
2005326853.tif 000006